(57)【要約】ユーザが（パーソナル・ビデオ・レコーダの）番組に利用可能な情報を見るときに、番組が記録されたかどうかを判断するキーワードが強調される。このことは、テキストのサイズを使用することにより、又は色や、囲みやテキストの点滅のような他の種類の協調の変化を使用することによって、行われ得る。これにより、ユーザが、自分のパーソナライズされたプロフィールで使用されるキーワードを識別しやすくなる。さらに、ユーザは、前記強調されたキーワードの間をナビゲートして、前記キーワードの強調を変え、前記キーワードの評価を（複数のレベルで）示すことができる。
2004536526.tif 000002
【特許請求の範囲】
【請求項１】
少なくとも１つのシンボルを有する情報単位を表示するユーザインタフェースを提供する方法であって、
（ａ）パーソナライズされたプロフィールに含まれ、評価に関連づけられた少なくとも１つのキーワードと前記シンボルとを比較するステップと、
（ｂ）情報単位を表示する間に、前記キーワードに合致する前記シンボルを強調させるステップとを有し、前記強調は、前記キーワードに関連付けられた前記評価に対応する方法。
【請求項２】
請求項１に記載の方法であって、
（ａ）ユーザが操作可能な入力手段により、前記情報単位に含まれるシンボルの前記強調を変えるステップと、
（ｂ）前記シンボルに対応するキーワードを含むように前記パーソナライズされたプロフィールを適合させるステップと、
（ｃ）評価を前記キーワードに関連付け、前記評価が前記シンボルの前記強調に対応するステップと
を更に有する方法。
【請求項３】
請求項１に記載の方法であって、
前記情報単位を提供するステップが、更なる情報単位を有するデータベースを検索するステップを有する方法。
【請求項４】
請求項１に記載の方法であって、
前記シンボルが言葉である方法。
【請求項５】
請求項１に記載の方法であって、
前記情報単位が、
（ａ）テレビ番組に関連付けられたサブタイトルの少なくとも１つの行
（ｂ）テレテキストのページ
（ｃ）ウェブページ
のうちの１つである方法。
【請求項６】
請求項１に記載の方法を実行することをプロセッサに可能とするコンピュータプログラム。
【請求項７】
請求項３に記載のコンピュータプログラムを運ぶ実体的な媒体。
【請求項８】
請求項３に記載のコンピュータプログラムを運ぶ信号。
【請求項９】
少なくとも１つのシンボルを有する情報単位を表示するユーザインタフェースを提供する装置であって、
（ａ）パーソナライズされたプロフィールに含まれる少なくとも１つのキーワードと、前記シンボルとを比較する手段を有し、前記キーワードが、それに関連付けられた評価を有し、
（ｂ）前記情報単位に表示する信号を提供する間に、前記キーワードに合致する前記シンボルを強調する手段を更に有し、前記強調が、前記キーワードに関連付けられた前記評価に対応する装置。
【発明の詳細な説明】
【０００１】
本発明は、少なくとも１つのシンボルを有する情報単位を表示するユーザインタフェースを提供する方法に関する。
【０００２】
本発明はまた、少なくとも１つのシンボルを有する情報単位を表示するユーザインタフェースを提供する方法を実施することをプロセッサに可能にするコンピュータプログラムに関する。
【０００３】
本発明はまた、コンピュータプログラムを運ぶ実体的な媒体に関する。
【０００４】
本発明はまた、コンピュータプログラムを運ぶ信号に関する。
【０００５】
本発明はまた、少なくとも１つのシンボルを有する情報単位を表示するユーザインタフェースを提供する装置に関する。
【０００６】
代表的なパーソナル・ビデオ・レコーダ（すなわち、ＴｉＶｏやＲｅｐｌａｙＴＶ）において、ユーザは、タイトルやジャンルやあらすじのような、番組についての情報を要求することができる。さらに、ユーザは番組に評価をつけることもできる。前記評価はパーソナライズされたプロフィールに入力される。前記パーソナライズされたプロフィールは、通常、特定のキーワードの評価に基づく。前記キーワードに合致する顔のような言葉やシンボルが、番組の説明（メタデータとも称される）の中に現れると、システムの記録エージェントが、前記キーワードの評価を用いて、前記番組が記録されるべきかどうかを判断する。
【０００７】
ユーザが記録された番組に利用可能な情報を見るとき、なぜシステムが特定の番組を記録したか、又は記録する予定であるかを即座に識別することができない。また、ユーザは、パーソナライズされたプロフィールに使用されるキーワードの評価とフィードバックを直接操ることができない。
【０００８】
番組が記録されたかどうか、又は記録される予定であるかどうかを判断することによって使用されるキーワードのフィードバックを改善することが、本発明の目的である。
【０００９】
本目的は、本発明による方法によって達せられ、前記方法は：パーソナライズされたプロフィールに含まれ、評価に関連付けられた少なくとも１つのキーワードと前記シンボルとを比較するステップと；情報単位を表示する間に、前記キーワードに合致するシンボルを強調さるステップとを有し、前記強調が、前記キーワードに関連付けられた評価に対応する。
【００１０】
ユーザが番組に利用可能な情報を見るとき、番組が記録される予定であるかどうかを判断するキーワードが強調される。このことは、テキストのサイズを使用することにより、又は色や、囲みやテキストの点滅のような他の種類の協調の変化を使用することによって、行われ得る。これにより、ユーザが、自分のパーソナライズされたプロフィールで使用されるキーワードを識別しやすくなる。
【００１１】
本発明の実施例は：ユーザが操作可能な入力手段により、前記情報単位に含まれるシンボルの協調を変えるステップと；前記シンボルに対応するキーワードを含むようにパーソナライズされたプロフィールを適合させるステップと；評価を前記キーワードに関連付けるステップとを更に有し、前記評価が前記シンボルの強調に対応する。
【００１２】
さらに、ユーザは、前記強調されたキーワードの間をナビゲートして、前記キーワードの強調（例えばサイズ）を変え、前記キーワードが示される題材の好き嫌いを（複数のレベルで）示すことができる。そして、これは、パーソナライズされたプロフィールの直接の入力として使用される。
【００１３】
プロセッサを可能にするコンピュータプログラムは、請求項１に記載の方法を実行することを前記プロセッサに可能にする。
【００１４】
本発明によるコンピュータプログラムを運ぶ実体的な媒体は、請求項２に記載のコンピュータプログラムを運ぶ。
【００１５】
コンピュータプログラムを運ぶ信号は、請求項２に記載のコンピュータプログラムを運ぶ。
【００１６】
本発明による装置は、パーソナライズされたプロフィールに含まれ、評価に関連付けられた少なくとも１つのキーワードと、前記シンボルとを比較する手段と；前記情報単位に表示する信号を提供する間に、前記キーワードに合致するシンボルを強調する手段とを有し、前記強調は、前記キーワードに関連付けられた評価に対応する。
【００１７】
本発明とその実施例について、図を用いてさらに詳細に説明する。
【００１８】
ユーザが番組に利用可能な情報１０５を見るとき、番組が記録される予定であるかどうかを判断するキーワードが強調される。このことは、テキストのサイズを使用することにより、又は色や、囲みやテキストの下線やテキストの点滅のような他の種類の強調の変化を使用することによって、行われ得る。これにより、ユーザが、自分のパーソナライズされたプロフィールで使用されるキーワードを識別しやすくなる。
【００１９】
さらに、ユーザは、前記強調されたキーワードの間をナビゲートして、前記キーワードの強調（例えばサイズ）を変え、前記キーワードが示される題材の好き嫌いを（複数のレベルで）示すことができる。これは、パーソナライズされたプロフィールへの直接の入力として使われる。例えば、ユーザが料理番組を楽しんで見ているとき、料理番組（図１参照：番組情報）の説明の中のＣｏｏｋｉｎｇというキーワード１１０を拡大し得る。前記システムは、ユーザが料理番組を好むことを知り、それに応じてパーソナライズされたプロフィールを調整する。もちろん、その逆も当てはまり、ユーザが中華料理番組を嫌いな場合は、Ｃｈｉｎｅｓｅというキーワード１２０のサイズを縮小する。この特徴を用いることは、パーソナライズされたプロフィールでより大きい粒度が取得され得るという更なる利点を有する。例えば、ユーザが、一般の料理番組より無国籍料理についての番組を特に好むかもしれない。同じシステムを使う他のユーザは、料理を好まないかもしれない。従って、そのユーザが同じ番組情報を見る場合に、“料理”というキーワードを小さくすることができる。各ユーザは、自分のプロフィールを持っているため、各ユーザは、キーワードの評価を指定することができる。
【００２０】
番組の説明のキーワードを協調するほか、前記システムは、例えば色を使用することにより、キーワード間の関係を示すことや、下線を付けることや、類似の外観（もちろん、説明の中の他の著述と異なる外観）を一般的に与えることができ、ユーザは、前記キーワード間の協調を変えることができる。そして、例えば図１において、ユーザは、“ｌａｄｉｅｓ”という言葉１４０を協調するのではなく、“ｆａｔ”という言葉１３０を協調することができ、“ｔｗｏ  ｆａｔ  ｌａｄｉｅｓ”全体の番組ではなく、“ｆａｔ”というキーワードに高い評価を与えたいということを示すことができる。このことにより、ユーザが文脈においてキーワードを評価することが可能となる。
【００２１】
本発明による方法の実施例が使用され得る更なる場面は、以下のものがある。
サブタイトル：
番組のサブタイトルに現れるキーワードが強調され得る（ハイライト、太字等）。このように、なぜその番組が記録のためにシステムによって選択されたかを、ユーザが即座に認識する。
テレテキスト放送：
ＰＶＲシステムのメタデータに適用することと同じことが、テレテキスト放送における番組情報にも適用可能である。テレテキスト放送の番組説明のキーワードが強調され、その番組が何についてのものであるか、ユーザが一見してわかるという更なる利点がある。
ウェブページ：
ウェブページへの使用は特に興味深い。本概念が検索エンジンのウェブページに適用されると、洗練された検索を実行するために使用され得る。なぜページがその結果を戻したのかをユーザが一見してわかるだけでなく、検索を洗練するために、（例えば、サイズやハイライトを変更すること等により）キーワードの重要度を変えることができる。本発明の更なる実施例においては、ソフトウェアモジュールが、ユーザに番組についての情報を表示し、パーソナライズされたプロフィールに使用されるキーワードを強調することができる。協調の程度は、キーワードがパーソナライズされたプロフィールに存在する評価によって判断される。前記ソフトウェアモジュールは、前記キーワードを選択させ、キーワードが表される題材の評価を示す強調の程度を変えることをユーザに可能にする。
【００２２】
本アプリケーションは、パーソナライズされたプロフィールを、図２に示す自動記録の基礎としての評価に使用する全種類のパーソナル・ビデオ・レコーダや又はセットトップボックスについてのユーザインタフェースの特徴１００に可能性がある。前記ユーザインタフェースは、リンク２０４上の信号２０３を備えることにより、パーソナル・ビデオ・レコーダ２０１によって生成され、ＴＶセット２０２で表示される。
【図面の簡単な説明】
【００２３】
【図１】本発明による方法の実施例の実装を示したものである。
【図２】本発明による装置の実施例の構成を示したものである。
【国際公開パンフレット】
2004536526.tif 000003
2004536526.tif 000004
2004536526.tif 000005
2004536526.tif 000006
2004536526.tif 000007
2004536526.tif 000008
2004536526.tif 000009
2004536526.tif 000010
【国際公開パンフレット（コレクトバージョン）】
2004536526.tif 000011
2004536526.tif 000012
【国際調査報告】
2004536526.tif 000013
2004536526.tif 000014
2004536526.tif 000015